Podtech/llm-jp-corpus-v4-ja_patent huggingface dataset:
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
第１面と、第２面と、前記第１面と前記第２面との間の屈曲部とを有する基板と、
前記第１面に配置された表示素子と、
前記表示素子と接続され、前記第１面から前記屈曲部を介して前記第２面に延在する導電層と、
前記基板より延性が低く、前記導電層に対して前記基板側および前記基板側とは反対側の少なくとも一方側に配置された複数の保護層と、
を備え、
前記複数の保護層の各々は、前記屈曲部、前記第１面の一部であって前記屈曲部に接する部分を含む第１所定領域、および前記第２面の一部であって前記屈曲部に接する部分を含む第２所定領域において拡がり、
前記複数の保護層が、前記導電層が延在する方向と交差する方向に沿って並んでいることを特徴とする表示装置。
【請求項２】
前記第１所定領域は、前記表示素子が配置された領域とは異なる領域であることを特徴とする請求項１に記載の表示装置。
【請求項３】
前記屈曲部における前記導電層は複数であり、
少なくとも１つの前記導電層に対応して配置された前記保護層は、当該導電層に隣接する前記導電層に対応して配置された前記保護層と分離していることを特徴とする請求項１に記載の表示装置。
【請求項４】
前記保護層のパターン周縁部は、頂点を有しない線で囲まれたパターンで形成されていることを特徴とする請求項１に記載の表示装置。
【請求項５】
前記第２面においても表示素子が配置され、
前記第２所定領域は、前記第２面の前記表示素子が配置された領域とは異なる領域であることを特徴とする請求項１に記載の表示装置。
【請求項６】
前記導電層は、金属酸化物を含むことを特徴とする請求項１に記載の表示装置。
【請求項７】
前記基板および前記保護層は、有機樹脂であることを特徴とする請求項１に記載の表示装置。
【請求項８】
前記基板はポリイミドであり、前記保護層はアクリルであることを特徴とする請求項７に記載の表示装置。
【請求項９】
第１面と、第２面と、前記第１面と前記第２面との間の屈曲予定領域とを有する基板に、表示素子、導電層および複数の保護層を形成し、
前記屈曲予定領域において前記基板を屈曲させて固定し、
前記基板を焼成することを含み、
前記表示素子は、少なくとも前記第１面に形成され、
前記導電層は、前記表示素子と接続され、前記第１面から前記屈曲予定領域を介して前記第２面に延在し、
前記複数の保護層は、前記基板より延性が低く、前記導電層に対して前記基板側および前記基板側とは反対側の少なくとも一方側に配置され、
前記複数の保護層の各々は、前記屈曲予定領域、前記第１面の一部であって前記屈曲予定領域に接する部分を含む前記第１所定領域、および前記第２面の一部であって前記屈曲予定領域に接する部分を含む前記第２所定領域において拡がり、
前記複数の保護層が、前記導電層が延在する方向と交差する方向に沿って並んでいることを特徴とする表示装置の製造方法。
【請求項１０】
前記第１所定領域は、前記表示素子が配置された領域とは異なる領域である
ことを特徴とする請求項９に記載の表示装置の製造方法。
【請求項１１】
前記屈曲予定領域における前記導電層は複数であり、
少なくとも１つの前記導電層に対応して配置された前記保護層は、当該導電層に隣接する前記導電層に対応して配置された前記保護層と分離していることを特徴とする請求項９に記載の表示装置の製造方法。
【請求項１２】
前記保護層のパターン周縁部は、頂点を有しない線で囲まれたパターンで形成されていることを特徴とする請求項９に記載の表示装置の製造方法。
【請求項１３】
前記第２面においても表示素子が配置され、
前記第２所定領域は、前記第２面の前記表示素子が配置された領域とは異なる領域であることを特徴とする請求項９に記載の表示装置の製造方法。
【請求項１４】
前記導電層は、金属酸化物を含むことを特徴とする請求項９に記載の表示装置の製造方法。
【請求項１５】
前記基板および前記保護層は、有機樹脂であることを特徴とする請求項９に記載の表示装置の製造方法。
【請求項１６】
前記基板はポリイミドであり、前記保護層はアクリルであることを特徴とする請求項１５に記載の表示装置の製造方法。
【請求項１７】
基板と、
前記基板に配置された表示素子と、
前記表示素子と接続され、第１の方向に延在する導電層と、
前記基板より延性が低く、前記導電層に対して前記基板側および前記基板側とは反対側の少なくとも一方側に配置された複数の保護層と、
を備え、
前記複数の保護層は、前記第１の方向とは異なる方向に沿って並んで配置されていることを特徴とする表示装置。
【手続補正２】
【補正対象書類名】明細書
【補正対象項目名】０００６
【補正方法】変更
【補正の内容】
【０００６】
本発明の一態様は、第１面と、第２面と、前記第１面と前記第２面との間の屈曲部とを有する基板と、前記第１面に配置された表示素子と、前記表示素子と接続され、前記第１面から前記屈曲部を介して前記第２面に延在する導電層と、前記基板より延性が低く、前記導電層に対して前記基板側および前記基板側とは反対側の少なくとも一方側に配置された複数の保護層と、を備え、前記複数の保護層の各々は、前記屈曲部、前記第１面の一部であって前記屈曲部に接する部分を含む第１所定領域、および前記第２面の一部であって前記屈曲部に接する部分を含む第２所定領域において拡がり、前記複数の保護層が、前記導電層が延在する方向と交差する方向に沿って並んでいることを特徴とする表示装置を提供する。
【手続補正３】
【補正対象書類名】明細書
【補正対象項目名】０００７
【補正方法】変更
【補正の内容】
【０００７】
また、本発明の一態様は、第１面と、第２面と、前記第１面と前記第２面との間の屈曲予定領域とを有する基板に、表示素子、導電層および複数の保護層を形成し、前記屈曲予定領域において前記基板を屈曲させて固定し、前記基板を焼成することを含み、前記表示素子は、少なくとも前記第１面に形成され、前記導電層は、前記表示素子と接続され、前記第１面から前記屈曲予定領域を介して前記第２面に延在し、前記複数の保護層は、前記基板より延性が低く、前記導電層に対して前記基板側および前記基板側とは反対側の少なくとも一方側に配置され、前記複数の保護層の各々は、前記屈曲予定領域、前記第１面の一部であって前記屈曲予定領域に接する部分を含む前記第１所定領域、および前記第２面の一部であって前記屈曲予定領域に接する部分を含む前記第２所定領域において拡がり、前記複数の保護層が、前記導電層が延在する方向と交差する方向に沿って並んでいることを特徴とする表示装置の製造方法を提供する。
【手続補正４】
【補正対象書類名】明細書
【補正対象項目名】０００８
【補正方法】変更
【補正の内容】
【０００８】
また、本発明の一態様は、基板と、前記基板に配置された表示素子と、前記表示素子と接続され、第１の方向に延在する導電層と、前記基板より延性が低く、前記導電層に対して前記基板側および前記基板側とは反対側の少なくとも一方側に配置された複数の保護層と、を備え、前記複数の保護層は、前記第１の方向とは異なる方向に沿って並んで配置されていることを特徴とする表示装置を提供する。
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
車両に搭載されたバッテリと、
前記車両の駆動力源であるエンジンと、
前記バッテリからの電力供給により前記エンジンを始動させるスタータと、
前記バッテリの電圧を検出する電圧検出部と、
前記バッテリの電流を検出する電流検出部と、
前記電圧検出部により検出された前記電圧と前記電流検出部により検出された前記電流から算出された前記バッテリの開回路電圧に基づき前記バッテリのＳＯＣを算出する第１のＳＯＣ算出部と、
前記バッテリのある充電状態を基準に前記電流検出部により検出された前記電流の時間積算値を加算して前記バッテリのＳＯＣを算出する第２のＳＯＣ算出部と、
前記バッテリのＳＯＣに基づいて、前記エンジンを自動停止させる動作、及び、該自動停止後、前記スタータにより前記エンジンを始動させる動作を含むアイドルストップ動作を制御する制御部を備え、
前記制御部は、
前記車両のイグニッションオンから前記第１のＳＯＣ算出部により算出された前記バッテリのＳＯＣが第１所定閾値以下の状態が継続する間、前回のイグニッションオフ時に前記アイドルストップ動作の制御に用いられていた前記バッテリのＳＯＣを基準に前記時間積算値を加算して前記第２のＳＯＣ算出部により算出された前記バッテリのＳＯＣに基づいて、前記アイドルストップ動作を制御し、前記継続が終了した場合、又は、前記第１のＳＯＣ算出部により算出された前記イグニッションオン時の前記バッテリのＳＯＣが前記第１所定閾値より高い場合は、前記車両のイグニッションオフまでの間、前記第１のＳＯＣ算出部により算出された前記バッテリのＳＯＣに基づいて、前記アイドルストップ動作を制御する、
車両用制御装置。
【請求項２】
前記制御部は、
前記車両のイグニッションオンから前記第１のＳＯＣ算出部により算出された前記バッテリのＳＯＣが第１所定閾値以下の状態が継続する間、前記第１のＳＯＣ算出部により算出された前記バッテリのＳＯＣが前記第１所定閾値より低い第２所定閾値以下になった場合、前記アイドルストップ動作を禁止する、
請求項１に記載の車両用制御装置。
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
粗大な懸濁物質と微細な懸濁物質とが共存している状態の廃水から、これらの懸濁物質を同一の処理によって取り除く際に使用される高分子凝集剤であって、
前記粗大な懸濁物質が少なくとも粒径が５０μｍ以上のものであり、前記微細な懸濁物質が粒径が５０μｍに満たないものであり、且つ、
下記一般式（１）及び（２）を必須成分としてそれぞれ５モル％以上を含む原料モノマーから誘導されるカチオン性又は両性の共重合体を主成分としてなり、該共重合体の重量平均分子量が２００万〜１，３００万であり、且つ、ｐＨ７におけるカチオンコロイド当量値が０．４ｍｅｑ／ｇ以上であることを特徴とする高分子凝集剤。
2014108394.tif 000001
（上記式中の、Ｒ1、Ｒ2は、ＣＨ3又はＣ2Ｈ5を、Ｒ3は、Ｈ、ＣＨ3又はＣ2Ｈ5を表す。Ｘ-は、アニオン性対イオンを表す。）
【請求項２】
前記重量平均分子量が２００万〜５００万であり、且つ、ｐＨ７におけるカチオンコロイド当量値が０．４〜４．８ｍｅｑ／ｇである請求項１に記載の高分子凝集剤。
【請求項３】
前記粗大な懸濁物質が、少なくとも粒径が５０μｍ以上の金属粉、石炭・コークス粉又は油分のいずれかを含む請求項１又は２に記載の高分子凝集剤。
【請求項４】
前記懸濁物質を同一の処理によって取り除く際における処理廃水に対する添加量が、０．５ｍｇ／Ｌ以上である請求項１〜３のいずれか１項に記載の高分子凝集剤。
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
針を用いない綴じ処理を行うことが指定されているか否かを判定する判定手段と、
前記判定手段が前記綴じ処理を行うことが指定されていると判定したことに基づき、印刷対象の画像のうち、少なくとも前記綴じ処理が行われる位置に対応する一部の領域が印刷されないようにするための処理を実行する制御手段と、
を備えることを特徴とする印刷制御装置。
【請求項２】
前記制御手段は、印刷対象の画像のうち、少なくとも前記綴じ処理が行われる位置に対応する一部の領域をマスクすることを特徴とする請求項１に記載の印刷制御装置。
【請求項３】
前記制御手段は、印刷対象の画像のうち、少なくとも前記綴じ処理が行われる位置に対応する一部の領域が印刷されないように画像データを加工することを特徴とする請求項１または２に記載の印刷制御装置。
【請求項４】
シートに対して画像を印刷する印刷手段を更に備え、
前記印刷手段は、前記加工が行われた画像データに基づく画像をシートに印刷することを特徴とする請求項３に記載の印刷制御装置。
【請求項５】
前記制御手段は、前記綴じ処理によって綴じられる複数のシートのうち、最初のシートの表面と最後のシートの裏面に対応する画像データに対しては前記加工を行わないことを特徴とする請求項３または４に記載の印刷制御装置。
【請求項６】
前記綴じ処理を行う綴じ手段を更に備えることを特徴とする請求項１乃至５のいずれか１項に記載の印刷制御装置。
【請求項７】
前記綴じ処理は、複数のシートを圧着することによって当該複数のシートを綴じる処理であることを特徴とする請求項１乃至６のいずれか１項に記載の印刷制御装置。
【請求項８】
前記制御手段は、針を用いた綴じ処理を行うことが指定されている場合には、印刷対象の画像のうち、綴じ処理が行われる位置に対応する一部の領域が印刷されないようにするための処理を行わないことを特徴とする請求項１乃至７のいずれか１項に記載の印刷制御装置。
【請求項９】
針を用いない綴じ処理を行うことが指定されているか否かを判定する判定工程と、
前記判定工程で前記綴じ処理を行うことが指定されていると判定したことに基づき、印刷対象の画像のうち、少なくとも前記綴じ処理が行われる位置に対応する一部の領域が印刷されないようにするための処理を実行する制御工程と、
を備えることを特徴とする印刷制御方法。
【請求項１０】
請求項９に記載の印刷制御方法をコンピュータに実行させることを特徴とするプログラム。
【手続補正２】
【補正対象書類名】明細書
【補正対象項目名】発明の名称
【補正方法】変更
【補正の内容】
【発明の名称】印刷制御装置、印刷制御方法、及びプログラム
【手続補正３】
【補正対象書類名】明細書
【補正対象項目名】０００８
【補正方法】変更
【補正の内容】
【０００８】
本発明は、上記の課題を解決するためになされたものである。本発明の目的は、画像が印刷されたシートに対して針を用いない綴じ処理が行われる場合に、綴じられた複数枚のシートが簡単にばらけることがないようにすることである。
【手続補正４】
【補正対象書類名】明細書
【補正対象項目名】０００９
【補正方法】変更
【補正の内容】
【０００９】
上記目的を達成する本発明の印刷制御装置は、針を用いない綴じ処理を行うことが指定されているか否かを判定する判定手段と、前記判定手段が前記綴じ処理を行うことが指定されていると判定したことに基づき、印刷対象の画像のうち、少なくとも前記綴じ処理が行われる位置に対応する一部の領域が印刷されないようにするための処理を実行する制御手段と、を備えることを特徴とする。
【手続補正５】
【補正対象書類名】明細書
【補正対象項目名】００１０
【補正方法】変更
【補正の内容】
【００１０】
本発明によれば、画像が印刷されたシートに対して針を用いない綴じ処理が行われる場合に、綴じられた複数枚のシートが簡単にばらけることがないようにすることができる。
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
画像処理装置に発生した障害を検知する第１の検知手段と、
前記検知された障害の発生箇所に対応する、前記障害を復旧するためのメンテナンスの手順を示す動画データを再生して画面表示する表示手段と、
前記障害の解消を検知する第２の検知手段と、
前記第２の検知手段により障害の解消が検知されたことに応じて、前記動画データの表示を終了するように制御する表示制御手段とを備え、
前記表示制御手段は、前記動画データが最後のシーンまで再生されても前記第２の検知手段により障害の解消が検知されない場合、前記動画データの再生を停止し、前記動画データに含まれる複数のシーンのうち、最初と最後のシーンを除く特定のシーンを表示するよう制御する
ことを特徴とする画像処理装置。
【請求項２】
ジョブ処理に応じた前記画像処理装置の負荷を判断する第１の判断手段を備え、
前記表示制御手段は、前記動画データが最後のシーンまで再生されても前記第２の検知手段により障害の解消が検知されない場合、前記第１の判断手段により判断された負荷に基づいて、前記動画データを再び再生するか、前記特定のシーンを表示するかを切り替える
ことを特徴とする請求項２に記載の画像処理装置。
【請求項３】
前記第１の判断手段は、前記負荷が予め決められた閾値以上であるかを判断し、
前記表示制御手段は、前記第１の判断手段により前記負荷が予め決められた閾値以上であると判断された場合に、前記特定のシーンを表示し、前記第１の判断手段により前記負荷が予め決められた閾値以上ではないと判断された場合に、前記動画データを再び再生するよう制御する
ことを特徴とする請求項２に記載の画像処理装置。
【請求項４】
前記負荷は、前記画像処理装置のＣＰＵ使用率である
ことを特徴とする請求項２または３に記載の画像処理装置。
【請求項５】
前記最後のシーンまで再生された動画データが、予め決められた、復旧を最優先すべき障害が発生したときのメンテナンスに対応する動画データかを判断する第２の判断手段を備え、
前記表示制御手段は、前記第２の判断手段により前記最後のシーンまで再生された動画データが、予め決められた、復旧を最優先すべき障害が発生したときのメンテナンスに対応する動画データであると判断された場合に、前記特定のシーンを表示し、前記第２の判断手段により前記最後のシーンまで再生された動画データが、予め決められた、復旧を最優先すべき障害が発生したときのメンテナンスに対応する動画データではないと判断された場合に、前記動画データを再び再生するよう制御する
ことを特徴とする請求項１ないし４のいずれか１項に記載の画像処理装置。
【請求項６】
前記復旧を最優先すべき障害は、前記画像処理装置が複数のジョブを実行中に発生した用紙ジャムである
ことを特徴とする請求項５に記載の画像処理装置。
【請求項７】
前記障害に対応するメンテナンスの実行過程を監視することで、現在実行対象である手順を特定する監視手段を備え、
前記表示制御手段は、前記動画データが最後のシーンまで再生されても前記第２の検知手段により障害の解消が検知されない場合、前記障害に対応するメンテナンスの手順に対応するシーンのうち、前記監視手段によって特定された現在実行対象である手順に対応するシーンを前記特定のシーンとして表示する
ことを特徴とする請求項１乃至６のいずれか１項に記載の画像処理装置。
【請求項８】
画像処理装置に発生した障害を検知する第１の検知工程と、
前記検知された障害の発生箇所に対応する、前記障害を復旧するためのメンテナンスの手順を示す動画データを再生して画面表示する表示工程と、
前記障害の解消を検知する第２の検知工程と、
前記第２の検知工程において障害の解消が検知されたことに応じて、前記動画データの表示を終了するように制御する表示制御工程とを有し、
前記表示制御工程では、前記動画データが最後のシーンまで再生されても前記障害の解消が検知されない場合、前記動画データの再生を停止し、前記動画データに含まれる複数のシーンのうち、最初と最後のシーンを除く特定のシーンを表示するよう制御する
ことを特徴とする画像処理装置の制御方法。
【請求項９】
請求項８に記載の画像処理装置の制御方法をコンピュータに実行させることを特徴とするコンピュータプログラム。
【手続補正２】
【補正対象書類名】明細書
【補正対象項目名】０００７
【補正方法】変更
【補正の内容】
【０００７】
本実施形態の画像処理装置は、画像処理装置に発生した障害を検知する第１の検知手段と、前記検知された障害の発生箇所に対応する、前記障害を復旧するためのメンテナンスの手順を示す動画データを再生して画面表示する表示手段と、前記障害の解消を検知する第２の検知手段と、前記第２の検知手段により障害の解消が検知されたことに応じて、前記動画データの表示を終了するように制御する表示制御手段とを備える。前記表示制御手段は、前記動画データが最後のシーンまで再生されても前記第２の検知手段により障害の解消が検知されない場合、前記動画データの再生を停止し、前記動画データに含まれる複数のシーンのうち、最初と最後のシーンを除く特定のシーンを表示するよう制御する。
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
底壁部と周壁部とを含み上面開口面となった箱状の容器本体と、ヒンジ部を介して前記容器本体の周壁部の上端部に回転可能に連結され、前記開口面を開閉可能に覆う板状蓋体とからなるヒンジ付き封入容器であって、
前記ヒンジ部は、前記容器本体の周壁部の上端部から外側に張り出して設けられた本体側連結部の一対の本体側回転係合部に、前記板状蓋体から外側に張り出して設けられた蓋体側連結部の一対の蓋側回転係合部を、回転可能に各々ヒンジ連結することによって形成されており、
且つ前記板状蓋体には、前記板状蓋体の上面板と連続させた状態で外側に張り出す庇状張出し部が、前記ヒンジ部の少なくとも前記本体側回転係合部と前記蓋側回転係合部よる一対の回転連結部の上方を覆って設けられているヒンジ付き封入容器。
【請求項２】
前記容器本体の周壁部の上端部内周面に周方向に環状に連続して設けられた本体側環状装着部の内側に、閉塞時に、前記板状蓋体の上面板の下面から下方に突出して環状に連続して設けられた蓋体側環状装着部を装着させている請求項１記載のヒンジ付き封入容器。
【請求項３】
前記庇状張出し部は、先端縁部の両側の端部が、前記一対の蓋側回転係合部よりも側方部分に設けられた斜め縁部を介して、前記上面板の周縁部と接続している請求項１又は２記載のヒンジ付き封入容器。
【請求項４】
前記庇状張出し部は、少なくとも前記一対の蓋側回転係合部の間の部分を外側から覆うようにして先端縁部から下方に折れ曲がって延設する先端カバー壁を備えている請求項１〜３のいずれか１項記載のヒンジ付き封入容器。
【請求項５】
前記容器本体の周壁部の上端部から外側に張り出して設けられた前記本体側連結部には、前記一対の本体側回転係合部から両側の端部に向けて張出し高さを徐々に減少させた、張出しスロープ部が設けられている請求項１〜４のいずれか１項記載のヒンジ付き封入容器。
【請求項６】
前記板状蓋体の前記上面板の周縁部分には、下方に延設する舌状係着壁が設けられており、該舌状係着壁の中央部の下部内側面には、前記容器本体の上端部の外側に設けられた係着爪突起に係着される係着爪が設けられている請求項１〜５のいずれか１項記載のヒンジ付き封入容器。
【手続補正２】
【補正対象書類名】明細書
【補正対象項目名】００２５
【補正方法】変更
【補正の内容】
【００２５】
すなわち、本実施形態によれば、ヒンジ部１３は、容器本体１１の周壁部１５から張り出して設けられた本体側連結部１９の一対の本体側回転係合部２０に、板状蓋体１２から外側に張り出して設けられた蓋体側連結部２１の一対の蓋側回転係合部２２を、回転可能にヒンジ連結することによって形成されており、且つ板状蓋体１２には、上面を上面板１７の上面と連続させた状態で外側に張り出す庇状張出し部２４が、ヒンジ部１３の本体側回転係合部２０と蓋側回転係合部２２よる一対の回転連結部２３の上方を覆って設けられているので、ヒンジ部１３の一対の回転連結部２３が、容器の上面部分に表れないようにして、当該上面部分の全体を実質的に滑らかに連続させることで、当該上面部分に付着した尿の飛沫等の付着物を、ウェットシート等を用いて簡単に拭き取って除去することが可能になると共に、ヒンジ部１３の回転連結部２３の隙間に、埃や汚れが溜まったり、付着物が付着するのを効果的に回避することが可能になる。
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
下記一般式（I）で表されるベンゾチアゾール誘導体。
2014108957.tif 000001
（式中、Ｒ1は下記一般式（II）で表される基または下記一般式（III）で表される基であり、
2014108957.tif 000002
Ｒ2は水素原子または水酸基の保護基であり、
Ｒ4およびＲ5はそれぞれ独立して水素原子およびアミノ基の保護基から選択され、
Ｒ6は水素原子またはカルボキシル基の保護基であり、
Ｒ3およびＲ7はそれぞれ独立して水素原子、ハロゲン原子及びアルキル基から選択される。）
【請求項２】
Ｒ3およびＲ7がともに水素原子である、請求項１記載のベンゾチアゾール誘導体。
【請求項３】
Ｒ4が水素原子であり、Ｒ5が酸との接触により水素原子となるアミノ基の保護基であり、Ｒ6が酸との接触により水素原子となるカルボキシル基の保護基である、請求項１または２に記載のベンゾチアゾール誘導体。
【請求項４】
２−（tert−ブトキシカルボニルアミノ）−５−（６−（tert−ブチルジメチルシリルオキシ）ベンゾ［ｄ］チアゾール−２−イル）−５−オキソペンタン酸tert−ブチル、２−（tert−ブトキシカルボニルアミノ）−５−（６−ヒドロキシベンゾ［ｄ］チアゾール−２−イル）−５−オキソペンタン酸tert−ブチル、５−（６−ヒドロキシベンゾ［ｄ］チアゾール−２−イル）−３，４−ジヒドロ−２Ｈ−ピロール−２−カルボン酸からなる群から選択される、請求項１〜３のいずれか１項に記載のベンゾチアゾール誘導体。
【請求項５】
下記一般式（Ｉ）に記載の化合物に酸を接触させることによって、下記化学式（ＩＩ）に記載の環化化合物を製造する方法
【化１】
2014108957.tif 000003
（式中、Ｒ1、Ｒ2及びＲ3は、それぞれ独立して、Ｈ、または、前記酸との接触によってＨとなる置換基であり、かつ、Ｒ4は、ＯＨ、または、前記酸との接触によってＯＨとなる置換基である）。
【請求項６】
前記酸がブロンステッド酸またはルイス酸であることを特徴とする、請求項５に記載の製造方法。
【請求項７】
前記酸が、塩酸、酢酸、モノフルオロ酢酸、ジフルオロ酢酸、トリフルオロ酢酸、トルエンスルホン酸、硫酸、硝酸、リン酸、過塩素酸、臭化亜鉛、塩化スズ、塩化アルミニウム、臭化リチウム、塩化リチウム、三フッ化ボラン、三塩化ボラン、三臭化ボラン、四塩化チタン、トリフルオロメタンスルホン酸銅、トリフルオロメタンスルホン酸銀、トリフルオロメタンスルホン酸イッテルビウム、トリフルオロメタンスルホン酸スズ、ヨウ素、及び、臭素からなる群から選択される１つ以上の酸であることを特徴とする、請求項５または６に記載の製造方法。
【請求項８】
化学式（Ｉ）に記載の化合物が、下記一般式（ＩＩＩ）に記載のアミノ酸を構成アミノ酸として含有するタンパク質またはペプチドから製造されることを特徴とする、請求項５〜７のいずれか１項に記載の製造方法。
【化２】
2014108957.tif 000004
【請求項９】
請求項５〜８のいずれか１項に記載の方法によって、化学式（ＩＩ）に記載の環化化合物を製造する工程と、
前記環化化合物に、ルシフェラーゼを接触させる工程と、
を含む、発光方法。
【請求項１０】
前記ルシフェラーゼが、ホタルルシフェラーゼであることを特徴とする、請求項９に記載の発光方法。
【手続補正２】
【補正対象書類名】明細書
【補正対象項目名】００７３
【補正方法】変更
【補正の内容】
【００７３】
（２）発光強度の測定
溶液１、３及び４を20μLずつ量り取り、均一に混合した後、測定機（アトー株式会社製ルミネッセンサーAB-2270-R）に入れた。測定機内の混合溶液に、暗下で溶液２を40μL加えることによって発光させ、この発光強度を測定した。
ホタルルシフェリンの発光強度を１とした場合の、他の各基質の発光強度の測定結果を、表１に示す。
【表１】
2014108957.tif 000005
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、前記可変表示部を変動表示した後、前記可変表示部の変動表示を停止することで表示結果を導出し、複数の前記可変表示部の表示結果の組合せに応じて入賞が発生可能なスロットマシンにおいて、
複数の前記可変表示部の表示結果の組合せとして特定の表示結果組合せが導出されて入賞が発生したときに遊技者にとって有利な特定遊技状態に移行させる特定遊技状態移行手段と、
前記特定の表示結果組合せを含む表示結果の組合せの導出を許容するか否かを前記可変表示部の表示結果が導出される前に決定する事前決定手段と、
前記事前決定手段が前記特定の表示結果組合せの導出を許容する特定決定結果に決定し、前記特定の表示結果組合せが導出されなかった場合に前記特定決定結果を次ゲーム以降に持ち越す持ち越し手段と、
複数の前記可変表示部の表示結果の組合せの導出手順が、特定手順以外の手順であったときに遊技者に不利益を発生させることが可能な不利益発生手段と、を備え、
前記特定決定結果が持ち越されているゲームでは前記不利益発生手段による不利益の発生を規制する
ことを特徴とするスロットマシン。
【手続補正２】
【補正対象書類名】明細書
【補正対象項目名】０００６
【補正方法】変更
【補正の内容】
【０００６】
しかしながら、特許文献１に記載のスロットマシンでは、ボーナスに当選してこれが持ち越されたゲームにおいて、推奨手順以外の手順でストップスイッチを操作してボーナスを入賞させようとすると不利益が生じるので、遊技者にとっては、ストップスイッチの操作手順を自由に選択しながらボーナスを入賞させる楽しみが低減する。このようなことから、特許文献１で示すようなスロットマシンは、ボーナスを入賞させるときに遊技者に遊技への不信感を抱かせるとともに遊技の興趣を低下させるものとなっていた。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
そこで、本発明は、このような問題点に着目してなされたものであり、特定決定結果に当選してから入賞するまでの期間における遊技の興趣の低下を防止して遊技の興趣を向上させることができるスロットマシンを提供することを目的とする。
【手続補正５】
【補正対象書類名】明細書
【補正対象項目名】０００９
【補正方法】変更
【補正の内容】
【０００９】
（手段１）上記課題を解決するために、本発明のスロットマシンは、各々が識別可能な複数種類の識別情報を変動表示可能な可変表示部を複数備え、可変表示部を変動表示した後、可変表示部の変動表示を停止することで表示結果を導出し、複数の可変表示部の表示結果の組合せに応じて入賞が発生可能なスロットマシンにおいて、複数の可変表示部の表示結果の組合せとして特定の表示結果組合せが導出されて入賞が発生したときに遊技者にとって有利な特定遊技状態に移行させる特定遊技状態移行手段（例えば、図１４に示すようにボーナスが入賞するとボーナスでのゲームに移行する部分）と、特定の表示結果組合せを含む表示結果の組合せの導出を許容するか否かを可変表示部の表示結果が導出される前に決定する事前決定手段（例えば、図６におけるＳｄ２において内部抽選処理を行う部分）と、事前決定手段が特定の表示結果組合せの導出を許容する特定決定結果に決定し、特定の表示結果組合せが導出されなかった場合に特定決定結果を次ゲーム以降に持ち越す持ち越し手段（例えば、図６におけるＳｄ２においてボーナス持ち越しフラグをセットする部分）と、複数の可変表示部の表示結果の組合せの導出手順が、特定手順以外の手順であったときに遊技者に不利益を発生させることが可能な不利益発生手段（例えば、図２７におけるＳｃ８やＳｃ９の処理を行う部分）とを備え、特定決定結果が持ち越されているゲームでは不利益発生手段による不利益の発生を規制する（例えば、図２９におけるＳｆ３の処理を行う部分）ことを特徴とする。
そのような構成によれば、特定決定結果に当選してから入賞するまでの期間における遊技の興趣の低下を防止することができる。
なお、手段１において、「特定手順」は、例えば、予め設計された出玉率になりやすい手順、事前決定手段の決定結果に対応して予め設計された表示結果が導出される手順、これら両方の遊技結果を得られる手順が挙げられる。そして、「特定手順」として、１種類の手順に限らず複数種類の手順を設定してもよい。また、「特定手順」は、複数の可変表示部の表示結果の導出順序および少なくともいずれか１つ可変表示部において表示結果を導出させる際の操作タイミングの両方を含む。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
第１始動領域を遊技球が通過したことに基づいて第１特別図柄の可変表示を開始し表示結果を導出表示する第１特別図柄制御手段と、
第２始動領域を遊技球が通過したことに基づいて第２特別図柄の可変表示を開始し表示結果を導出表示する第２特別図柄制御手段と、
前記第１特別図柄または前記第２特別図柄の表示結果が特定表示結果となったときに、特定遊技状態に制御する特定遊技状態制御手段と、を備え、
前記第２特別図柄の表示結果が特定表示結果となった場合には、前記第１特別図柄の表示結果が特定表示結果となった場合に比べて、遊技者に大きい利益を付与しうる遊技機であって、
普通変動条件の成立に基づいて普通図柄の可変表示を開始し表示結果を導出表示する普通図柄制御手段と、
前記普通図柄の表示結果が所定表示結果となったときに、前記第２始動領域を遊技球が通過困難な状態から通過容易な状態に変化させる可変制御手段と、を備え、
前記普通図柄制御手段は、
前記特定遊技状態の終了後における特定期間を除く通常の遊技状態にて、前記普通変動条件の成立に基づいて前記普通図柄の可変表示を開始するにもかかわらず、前記普通図柄の表示結果として前記所定表示結果を導出表示することのない非導出制御手段を有することを特徴とする遊技機。
【手続補正２】
【補正対象書類名】明細書
【補正対象項目名】０００２
【補正方法】変更
【補正の内容】
【０００２】
遊技機として、遊技盤の前面に形成された遊技領域に遊技媒体としての遊技球を打ち込み、この打ち込まれた遊技球が遊技領域に設けられた始動口に入賞したことに基づいて予め決められている所定の確率で大当りとするか否かを判定した後、表示装置（例えば、液晶表示装置）で図柄等の変動表示を実行して前記判定結果に応じた図柄を導出表示するものがある（特許文献１）。
【手続補正３】
【補正対象書類名】明細書
【補正対象項目名】０００４
【補正方法】変更
【補正の内容】
【０００４】
上記特許文献１では、「特定遊技状態として、例えば、特別遊技状態（大当り遊技状態）の終了後に、普図の当りの発生確率が上がる（例えば、１／１０から９／１０に確率が上がる）普図確率変動状態を発生させる」ことが記載されているが、特定遊技状態ではない場合にも普図の当りが発生することがあるため、特定遊技状態との差が十分に感じられず、遊技興趣の低下を招くおそれがあった。
【手続補正４】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正５】
【補正対象書類名】明細書
【補正対象項目名】０００６
【補正方法】変更
【補正の内容】
【０００６】
（解決手段１）
第１始動領域を遊技球が通過したことに基づいて第１特別図柄の可変表示を開始し表示結果を導出表示する第１特別図柄制御手段と、
第２始動領域を遊技球が通過したことに基づいて第２特別図柄の可変表示を開始し表示結果を導出表示する第２特別図柄制御手段と、
前記第１特別図柄または前記第２特別図柄の表示結果が特定表示結果となったときに、特定遊技状態に制御する特定遊技状態制御手段と、を備え、
前記第２特別図柄の表示結果が特定表示結果となった場合には、前記第１特別図柄の表示結果が特定表示結果となった場合に比べて、遊技者に大きい利益を付与しうる遊技機であって、
普通変動条件の成立に基づいて普通図柄の可変表示を開始し表示結果を導出表示する普通図柄制御手段と、
前記普通図柄の表示結果が所定表示結果となったときに、前記第２始動領域を遊技球が通過困難な状態から通過容易な状態に変化させる可変制御手段と、を備え、
前記普通図柄制御手段は、
前記特定遊技状態の終了後における特定期間を除く通常の遊技状態にて、前記普通変動条件の成立に基づいて前記普通図柄の可変表示を開始するにもかかわらず、前記普通図柄の表示結果として前記所定表示結果を導出表示することのない非導出制御手段を有することを特徴とする遊技機。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明の遊技機においては、遊技興趣の低下を抑止可能である。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
所定の図柄情報を表示可能な表示手段と、
始動条件の成立に基づいて抽選を行う抽選手段と、
前記抽選の結果が特定の結果である場合に前記表示手段を表示制御して特定表示結果を導出表示する表示制御手段と、
遊技者の操作に起因する特別条件の成立を判定する特別判定手段と、
演出を制御する演出制御手段と、を備え、
前記演出制御手段は、
前記特定表示結果の導出表示後、終了時間が規定されない特定演出を実行する特定演出実行手段と、
前記特定演出の実行中に、前記特別判定手段によって前記特別条件の成立が判定された場合、前記特定演出に変化を与える特定演出変更手段と、を有することを特徴とする遊技機。
【手続補正２】
【補正対象書類名】明細書
【補正対象項目名】０００４
【補正方法】変更
【補正の内容】
【０００４】
上記遊技機では、操作ボタンの操作に対する興味が失われると、折角遊技者の介入を可能にするセンサや操作ボタンが設けられていても操作を敬遠されてしまい、遊技興趣の低下を招くおそれがあった。
【手続補正３】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正４】
【補正対象書類名】明細書
【補正対象項目名】０００６
【補正方法】変更
【補正の内容】
【０００６】
（解決手段１）
所定の図柄情報を表示可能な表示手段と、
始動条件の成立に基づいて抽選を行う抽選手段と、
前記抽選の結果が特定の結果である場合に前記表示手段を表示制御して特定表示結果を導出表示する表示制御手段と、
遊技者の操作に起因する特別条件の成立を判定する特別判定手段と、
演出を制御する演出制御手段と、を備え、
前記演出制御手段は、
前記特定表示結果の導出表示後、終了時間が規定されない特定演出を実行する特定演出実行手段と、
前記特定演出の実行中に、前記特別判定手段によって前記特別条件の成立が判定された場合、前記特定演出に変化を与える特定演出変更手段と、を有することを特徴とする遊技機。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技機においては、遊技興趣の低下を抑止可能である。
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
所定の始動条件成立に基づいて抽選を行う抽選手段と、
複数種類の図柄情報が変動表示される表示手段と、
前記抽選の結果に基づいて前記表示手段を表示制御して表示結果を導出表示させる表示制御手段と、
前記抽選の結果が特定の結果である場合に、閉状態にある大入賞口を開状態にする特定遊技状態に制御可能な特定遊技状態制御手段と、
前記大入賞口とは異なる特別受入口への入球の有無を判定する特別判定手段と、
演出を制御する演出制御手段と、を備え、
前記演出制御手段は、
前記表示結果の導出表示後に、遊技者への利益付与に先立つ第１演出を実行する第１演出実行手段と、
前記第１演出の実行中に前記特別受入口への入球が有ると判定されると、当該第１演出を、遊技者への利益付与が発生したことを示唆する第２演出へと変更する演出変更手段と、を有することを特徴とする遊技機。
【手続補正２】
【補正対象書類名】明細書
【補正対象項目名】０００４
【補正方法】変更
【補正の内容】
【０００４】
上記遊技機では、操作ボタンの操作に対する興味が失われると、折角遊技者の介入を可能にするセンサや操作ボタンが設けられていても操作を敬遠されてしまい、遊技興趣の低下を招くおそれがあった。
【手続補正３】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正４】
【補正対象書類名】明細書
【補正対象項目名】０００６
【補正方法】変更
【補正の内容】
【０００６】
（解決手段１）
所定の始動条件成立に基づいて抽選を行う抽選手段と、
複数種類の図柄情報が変動表示される表示手段と、
前記抽選の結果に基づいて前記表示手段を表示制御して表示結果を導出表示させる表示制御手段と、
前記抽選の結果が特定の結果である場合に、閉状態にある大入賞口を開状態にする特定遊技状態に制御可能な特定遊技状態制御手段と、
前記大入賞口とは異なる特別受入口への入球の有無を判定する特別判定手段と、
演出を制御する演出制御手段と、を備え、
前記演出制御手段は、
前記表示結果の導出表示後に、遊技者への利益付与に先立つ第１演出を実行する第１演出実行手段と、
前記第１演出の実行中に前記特別受入口への入球が有ると判定されると、当該第１演出を、遊技者への利益付与が発生したことを示唆する第２演出へと変更する演出変更手段と、を有することを特徴とする。
【手続補正５】
【補正対象書類名】明細書
【補正対象項目名】０００７
【補正方法】変更
【補正の内容】
【０００７】
このように、本発明によれば、遊技興趣の低下を抑止可能である。
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
遊技領域が形成される遊技盤と、
所定の始動条件の成立に基づいて抽選を行う抽選手段と、
前記抽選の結果に基づいて複数種類の利益付与状態のうちいずれかに制御する利益付与制御手段と、
前記遊技領域に複数配置される入球口への遊技球の入球に基づいて、所定数の賞球を払い出す賞球払出手段と、を備え、
前記遊技領域には、前記複数の入球口のうちの特定の入球口よりも前記遊技領域の上流側に配置される特定の受入口が、前記複数の入球口とは別に設けられており、
前記利益付与制御手段が前記複数種類の利益付与状態のうちの特定の利益付与状態に制御する場合に、前記特定の受入口に入球した遊技球を前記特定の入球口に入球させる入球補助手段を更に備えることを特徴とする遊技機。
【手続補正２】
【補正対象書類名】明細書
【補正対象項目名】０００４
【補正方法】変更
【補正の内容】
【０００４】
上記遊技機では大当りとなったことに基づいて打ち込まれた遊技球が大入賞口に入賞しない場合には、賞球を獲得できないばかりか打ち込んだ遊技球を失うことによる損失が発生するため、大当りになったにもかかわらず遊技興趣を低下させるおそれがあった。
【手続補正３】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正４】
【補正対象書類名】明細書
【補正対象項目名】０００６
【補正方法】変更
【補正の内容】
【０００６】
（解決手段１）
遊技領域が形成される遊技盤と、
所定の始動条件の成立に基づいて抽選を行う抽選手段と、
前記抽選の結果に基づいて複数種類の利益付与状態のうちいずれかに制御する利益付与制御手段と、
前記遊技領域に複数配置される入球口への遊技球の入球に基づいて、所定数の賞球を払い出す賞球払出手段と、を備え、
前記遊技領域には、前記複数の入球口のうちの特定の入球口よりも前記遊技領域の上流側に配置される特定の受入口が、前記複数の入球口とは別に設けられており、
前記利益付与制御手段が前記複数種類の利益付与状態のうちの特定の利益付与状態に制御する場合に、前記特定の受入口に入球した遊技球を前記特定の入球口に入球させる入球補助手段を更に備えることを特徴とする。
【手続補正５】
【補正対象書類名】明細書
【補正対象項目名】０００７
【補正方法】変更
【補正の内容】
【０００７】
このように、本発明によれば、遊技興趣の低下を抑止可能である。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
複数の可動体と、
当選役に関する抽選を行う当選役抽選手段と、
第１の特典として、所定の表示領域に前記抽選の結果が示されたときの図柄の組合せに基づいて遊技媒体を付与する第１特典付与手段と、
前記第１の特典とは異なる第２の特典として、前記複数の可動体それぞれに対応して設けられた停止操作手段に対して前記遊技媒体の獲得が多くなる停止操作手順を指示する第２特典付与手段と、を備えた遊技機であって、
特別な条件を満たした場合には、前記第２の特典が付与される期待が高められた特別区間に移行させる特区移行手段と、をさらに備え、
前記特別な条件を満たしたことで前記第２の特典が付与される期待が高められた特別区間に移行させたとしても、遊技者が獲得できる実質的な前記遊技媒体の獲得期待値は変わらないように構成されており、
前記第２の特典が付与される期待が高められた特別区間に制御されているとき、当該第２の特典が付与される期待の度合が異なる複数の特別区間状態から構成されていることを特徴とする遊技機。
【手続補正２】
【補正対象書類名】明細書
【補正対象項目名】０００６
【補正方法】変更
【補正の内容】
【０００６】
しかし、上述した遊技場に設置されている遊技機の多くは上述した低設定のパチスロ機が大半を占めている。そのような現実の中で、低設定でも遊技者に期待感を抱かせるために、近年の遊技機では、上述したボーナスゲームの他にＡＴ（アシストタイム）の性能を搭載した遊技機も数多く見られ、このようなＡＴを搭載した遊技機はＡＴのゲーム数をいかに上乗せするかが勝負の鍵を握っている傾向が強い。この上乗せするゲーム数が大きなゲーム数であった場合には遊技者の高揚感が高まる一方で、大きなゲーム数の上乗せばかり続くとホールの負担が増大してしまうという課題が発生する。
【手続補正３】
【補正対象書類名】明細書
【補正対象項目名】０００７
【補正方法】変更
【補正の内容】
【０００７】
そこで、本発明は、そのような課題を解決し、バランスの取れた遊技機を提供することを課題とする。
【手続補正４】
【補正対象書類名】明細書
【補正対象項目名】０００８
【補正方法】変更
【補正の内容】
【０００８】
上記課題を解決するための本発明に係る遊技機は、複数の可動体と、当選役に関する抽選を行う当選役抽選手段と、第１の特典として、所定の表示領域に前記抽選の結果が示されたときの図柄の組合せに基づいて遊技媒体を付与する第１特典付与手段と、前記第１の特典とは異なる第２の特典として、前記複数の可動体それぞれに対応して設けられた停止操作手段に対して前記遊技媒体の獲得が多くなる停止操作手順を指示する第２特典付与手段と、を備えた遊技機であって、特別な条件を満たした場合には、前記第２の特典が付与される期待が高められた特別区間に移行させる特区移行手段と、をさらに備え、前記特別な条件を満たしたことで前記第２の特典が付与される期待が高められた特別区間に移行させたとしても、遊技者が獲得できる実質的な前記遊技媒体の獲得期待値は変わらないように構成されており、前記第２の特典が付与される期待が高められた特別区間に制御されているとき、当該第２の特典が付与される期待の度合が異なる複数の特別区間状態から構成されていることを特徴とする遊技機。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
このように、本発明によれば、バランスの取れた遊技機を提供することができる。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
複数の可動体と、
当選役に関する抽選を行う当選役抽選手段と、
第１の特典として、所定の表示領域に前記抽選の結果が示されたときの図柄の組合せに基づいて遊技媒体を付与する第１特典付与手段と、
前記第１の特典とは異なる第２の特典として、前記複数の可動体それぞれに対応して設けられた停止操作手段に対して前記遊技媒体の獲得が多くなる停止操作手順を指示する第２特典付与手段と、を備えた遊技機であって、
特別な条件を満たした場合には、前記第２の特典が付与される期待が高められた特別区間に移行させる特区移行手段と、をさらに備え、
前記特別な条件を満たしたことで前記第２の特典が付与される期待が高められた特別区間に移行させたとしても、遊技者が獲得できる実質的な前記遊技媒体の獲得期待値は変わらないように構成されていることを特徴とする遊技機。
【手続補正２】
【補正対象書類名】明細書
【補正対象項目名】０００６
【補正方法】変更
【補正の内容】
【０００６】
近年の遊技機では、上述したＡＴのゲーム数を上乗せするゲーム性も搭載されており、前述した上乗せするゲーム数が大きなゲーム数であった場合には遊技者の高揚感が高まる一方で、大きなゲーム数の上乗せばかり続くとホールの負担が増大してしまうという課題が発生する。
【手続補正３】
【補正対象書類名】明細書
【補正対象項目名】０００７
【補正方法】変更
【補正の内容】
【０００７】
そこで、本発明は、そのような課題を解決し、バランスの取れた遊技機を提供することを課題とする。
【手続補正４】
【補正対象書類名】明細書
【補正対象項目名】０００８
【補正方法】変更
【補正の内容】
【０００８】
上記課題を解決するための本発明に係る遊技機は、複数の可動体と、当選役に関する抽選を行う当選役抽選手段と、第１の特典として、所定の表示領域に前記抽選の結果が示されたときの図柄の組合せに基づいて遊技媒体を付与する第１特典付与手段と、前記第１の特典とは異なる第２の特典として、前記複数の可動体それぞれに対応して設けられた停止操作手段に対して前記遊技媒体の獲得が多くなる停止操作手順を指示する第２特典付与手段と、を備えた遊技機であって、特別な条件を満たした場合には、前記第２の特典が付与される期待が高められた特別区間に移行させる特区移行手段と、をさらに備え、前記特別な条件を満たしたことで前記第２の特典が付与される期待が高められた特別区間に移行させたとしても、遊技者が獲得できる実質的な前記遊技媒体の獲得期待値は変わらないように構成されていることを特徴とする遊技機。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
このように、本発明によれば、バランスの取れた遊技機を提供することができる。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
着用者の肌に接する表面シートと吸収体とを有する吸収性本体と、
着用時において前記吸収性本体よりも前記着用者の外側に位置する外装体とを備え、
前記着用者の腹側に配置される前胴回り領域と、前記着用者の背側に配置される後胴回り領域と、前記前胴回り領域と前記後胴回り領域との間に位置し、前記着用者の股下に配置される股下領域とを有し、
前記外装体の前記前胴回り領域に設けられる幅方向外側の端部と前記外装体の前記後胴回り領域に設けられる幅方向外側の端部とが接合された一対の係止部が形成されることにより、前記着用者の脚が挿入される一対の脚回り開口部と、前記着用者の胴回りが挿入される胴回り開口部とを有する吸収性物品であって、
前記外装体は、前記前胴回り領域と前記後胴回り領域とにおいて、少なくとも２枚の外装シートを有しており、
前記前胴回り領域には、前記２枚の外装シートの間において、前記吸収性物品の幅方向に伸縮性を有する複数の第１弾性部材が配置されており、
前記後胴回り領域には、前記２枚の外装シートの間において、前記吸収性物品の幅方向に伸縮性を有する複数の第２弾性部材が配置されており、
前記股下領域には、前記吸収性物品の着用時において、前記着用者の両脚の間隔の最も狭い位置に対応する股下最狭部が形成されており、
前記股下最狭部から前記複数の第１弾性部材の内の最も前記股下最狭部側に位置する股下第１弾性部材までの腹側股下距離は、前記股下最狭部から前記複数の第２弾性部材の内の最も前記股下最狭部側に位置する股下第２弾性部材までの背側股下距離よりも短い
ことを特徴とする吸収性物品。
【請求項２】
前記吸収性本体と前記外装体とを接合するための接合部が形成されており、
前記接合部は、
前記前胴回り領域から前記股下領域にわたって形成され、前記股下最狭部よりも前記腹側に位置する前側接合部と、
前記後胴回り領域から前記股下領域にわたって形成され、前記股下最狭部よりも前記背側に位置する後側接合部とを含み、
前記前側接合部と前記後側接合部とは、前記吸収性物品の長手方向に離間して配置されており、
前記股下最狭部から前記前側接合部までの前記吸収性物品の長手方向における距離は、前記股下最狭部から前記後側接合部までの前記吸収性物品の長手方向における距離よりも短い
ことを特徴とする請求項１に記載の吸収性物品。
【請求項３】
前記股下領域の腹側における腹側端部では、前記外装体の幅方向外側の端部が、前記前側接合部よりも幅方向外側に位置しており、
前記股下領域の背側における背側端部では、前記外装体の幅方向外側の端部が、前記後側接合部よりも幅方向外側に位置しており、
前記後側接合部から前記外装体の幅方向外側の端部までの幅方向における幅は、前記前側接合部から前記外装体の端部までの幅方向における幅よりも広い
ことを特徴とする請求項２に記載の吸収性物品。
【請求項４】
前記股下第２弾性部材は、前記外装体の前記後胴回り領域の幅方向外側端部から前記幅方向内側に向かって、前記股下最狭部側に湾曲している
ことを特徴とする請求項１乃至３のいずれか一項に記載の吸収性物品。
【請求項５】
前記外装体は、前記前胴回り領域と前記股下領域と前記後胴回り領域とにわたって連続している少なくとも１枚の外装シートを含む
ことを特徴とする請求項１乃至４のいずれか一項に記載の吸収性物品。